(57)【要約】【課題】収納時に場所を取らず、設置作業や撤去作業、および、収納作業が容易なパーテーションポールおよびパーテーションポールの収納システムを提供する。【解決手段】上下方向に延びる支柱と、一端側が前記支柱の下端部に支持され、前記支柱の下方において前記支柱の軸とほぼ平行に閉じた閉脚状態と、前記支柱の軸と交差する方向に開いた開脚状態と、の間で前記一端側を基端として開閉回動する複数の脚部と、前記支柱の下方において前記支柱の軸の延長線上に配される受け部と、一端側が前記脚部に回動可能に連結されるとともに、他端側が前記受け部に回動可能に連結された連結腕と、を備え、前記閉脚状態において前記受け部の少なくとも底面が前記脚部の他端より下方に位置している、パーテーションポール。【選択図】図１２
2017014683.tif 000002
【特許請求の範囲】
【請求項１】
上下方向に延びる支柱と、
一端側が前記支柱の下端部に支持され、前記支柱の下方において前記支柱の軸とほぼ平行に閉じた閉脚状態と、前記支柱の軸と交差する方向に開いた開脚状態と、の間で前記一端側を基端として開閉回動する複数の脚部と、
前記支柱の下方において前記支柱の軸の延長線上に配される受け部と、
一端側が前記脚部に回動可能に連結されるとともに、他端側が前記受け部に回動可能に連結された連結腕と、を備え、
前記閉脚状態において前記受け部の少なくとも底面が前記脚部の他端より下方に位置している、パーテーションポール。
【請求項２】
前記受け部の前記底面は平坦面とされている請求項１に記載のパーテーションポール。
【請求項３】
前記連結腕の前記一端側は前記脚部の延び方向における中間部に連結されている請求項１または請求項２に記載のパーテーションポール。
【請求項４】
前記脚部の前記閉脚状態において、前記脚部および前記受け部の外径は前記支柱の外径と同等以下とされている、請求項１ないし請求項３のいずれか一項に記載のパーテーションポール。
【請求項５】
請求項１ないし請求項４のいずれか一項に記載のパーテーションポールを収納する収納システムであって、
前記閉脚状態の前記脚部を内部に収納可能な複数の収納部を有し、
前記収納部は、前記閉脚状態の前記脚部の周囲を当該周囲に沿うように取り囲む周壁を備えている、パーテーションポールの収納システム。
【請求項６】
請求項１ないし請求項４のいずれか一項に記載のパーテーションポールを収納する収納システムであって、
前記パーテーションポールは前記脚部よりも上方側に引掛部を備えており、
前記引掛部を引っ掛け可能な被引掛部を有する、パーテーションポールの収納システム。
【請求項７】
請求項１ないし請求項４のいずれか一項に記載のパーテーションポールを収納する収納システムであって、
前記閉脚状態の前記脚部を水平方向に延びるように支持する支持部を有する、パーテーションポールの収納システム。 
【発明の詳細な説明】
【技術分野】
【０００１】
本明細書に開示される技術は、パーテーションポールおよびパーテーションポールの収納システムに関する。
【背景技術】
【０００２】
例えばイベント会場や公共施設等、大勢の人が集まる場所では、人の流れや並ぶ場所を誘導するためにしばしばパーテーションポールが使用されている。パーテーションポールは、例えば円盤状の台座部と、台座部から上方に向けて立設された支柱とを有しており、支柱の上端付近に設けられたフックにロープやチェーン等を引っ掛けて隣のパーテーションポールとの間を架け渡したり、あるいは、支柱の上端に設けられたベルト収納ヘッドから巻き取り方向に付勢されたパーティションベルトを引き出すとともにその端部を隣のパーテーションポールに固定することにより、空間を仕切るようになっている。
【０００３】
ところで、パーテーションポールは、集まる人の数や場所に応じて速やかに設置されたり、片づけられたりすることが好ましい。しかし、上述したようなパーテーションポールは、円盤状の台座部が邪魔となり、比較的大きな収納スペースを要するという問題がある。
【０００４】
このため、例えば台座部に隣り合うパーテーションポールの支柱を受け入れるための切欠部を設け、台座部同士を重ね合わせて収納する構成が提案されている。しかし、複数のパーテーションポールの台座部を重ね合わせた場合には台座部の安定性が低下し、また、見た目もよくないという問題がある。
【０００５】
そこでこのような問題を解決するために、円盤状の台座部の代わりに開閉可能な複数の脚部を設け、使用時には脚部を開いた状態とし、収納時には閉じた状態とすることにより、収納スペースを取らないようにする構成が考えられる。
【先行技術文献】
【特許文献】
【０００６】
【特許文献１】特開２０１３−１８９７４６号公報
【特許文献２】特開２０１１−１２２３１５号公報
【特許文献３】実開平５−５０２９２号公報
【発明の概要】
【発明が解決しようとする課題】
【０００７】
しかし、複数の脚部を開閉させる構成では、パーテーションポールを設置する際や収納する際に、わざわざ手作業で脚部を開閉操作しなければならず、また、作業可能な位置までパーテーションポールを高く持ち上げたり上下反転させたりしなければならない。このような作業を多数のパーテーションポールに対して行うことは、手間がかかるとともに、作業時間を要するという問題がある。
【０００８】
また、収納時に脚部が開かないようにするために、例えば締め付けベルトやロック機構等、閉じた状態を保持する構成を設ける必要があった。
【０００９】
本明細書に開示された技術は、収納時に場所を取らず、設置作業や撤去作業、および、収納作業が容易なパーテーションポールおよびパーテーションポールの収納システムを提供することを目的とする。
【課題を解決するための手段】
【００１０】
本明細書に開示される技術は、上下方向に延びる支柱と、一端側が前記支柱の下端部に支持され、前記支柱の下方において前記支柱の軸とほぼ平行に閉じた閉脚状態と、前記支柱の軸と交差する方向に開いた開脚状態と、の間で前記一端側を基端として開閉回動する複数の脚部と、前記支柱の下方において前記支柱の軸の延長線上に配される受け部と、一端側が前記脚部に回動可能に連結されるとともに、他端側が前記受け部に回動可能に連結された連結腕と、を備え、前記閉脚状態において前記受け部の少なくとも底面が前記脚部の他端より下方に位置している、パーテーションポールである。
【００１１】
本明細書に開示される技術によれば、閉脚状態のパーテーションポールを所望の位置に設置する際には、作業者は、支柱の上部を手で掴んで、支柱が床面あるいは地面に対してほぼ垂直となる縦方向として、床面あるいは地面に載置すればよい。
【００１２】
そのようにすると、まず、パーテーションポールの最下端に突出して配されている受け部が床面あるいは地面に接地し、パーテーションポールの自重により下方に押し付けられる。換言すれば、受け部は床面あるいは地面から上方に向けて押圧力を受ける。すると、この受け部に回動可能に連結され、上下方向に延びて配されている複数の連結腕が、受け部側の端部を回動中心として放射状に開き、他端側に連結されている脚部を径方向の外側に向けて押し開く。
【００１３】
つまり、パーテーションポールの支柱を手で掴んで、床面あるいは地面に載置するだけで、脚部が自動的に開き、パーテーションポールを開脚状態として床面あるいは地面に設置することができる。
【００１４】
また、パーテーションポールを収納する際には、作業者は、支柱の上部を手で掴んで持ち上げればよい。そのようにすると、受け部が自重により支柱から離れる方向に相対的に移動し、これにより、受け部に連結されている連結腕が受け部側の端部を中心に閉じる方向（支柱側）に回動して、他端側に連結されている脚部を閉じる方向に引き寄せる。つまり、パーテーションポールの支柱を手で掴んで持ち上げるだけで、自動的に脚部が閉じ、パーテーションポールを閉脚状態とすることができる。
【００１５】
上記パーテーションポールは、受け部の底面が平坦面とされていることが好ましい。このような構成によれば、閉脚状態のパーテーションポールを設置する際に、例えば底面が曲面状とされている構成と比較して、受け部を床面あるいは地面に対して正規の姿勢で接地させることができる。これにより、受け部から各連結腕に対して均等に押圧力が加わることとなり、開脚動作がより速やかに進行する。
【００１６】
連結腕のうち脚部と連結される一端側は、脚部の延び方向における中間部に連結されていてもよい。このような構成によれば、連結腕が同等長さの脚部の先端部と連結される構成と比較して、脚部の閉脚状態におけるパーテーションポール全体の長さを短くすることができる。また、同じく連結腕が同等長さの脚部の先端部と連結される構成と比較して、脚部の開脚角度を同等に保ちながら連結腕の長さを短くすることができるから、パーテーションポール全体の重量を軽くすることができるとともに、製造コストを抑えることができる。
【００１７】
また、閉脚状態において、脚部および受け部の外径は支柱の外径と同等以下とされていてもよい。このような構成によれば、閉脚状態のパーテーションポールの外径を支柱の外径以下まで小さくすることができるから、収納スペースをより小さくすることができる。
【００１８】
さらに、本明細書に開示される技術は、上述したパーテーションポールを収納する収納システムであって、閉脚状態の脚部を内部に収納可能な複数の収納部を有し、収納部は、閉脚状態の脚部の周囲を当該周囲に沿うように取り囲む周壁を備えているものである。
【００１９】
このような収納システムによれば、パーテーションポールの脚部は収納部に収納された状態において収納部の周壁によりその閉脚状態が保持されるようになっているから、場所を取らない閉脚状態のまま収納することができる。また、パーテーションポールに閉脚状態を保持する機構を設ける必要がなく、簡易な構成でありながら閉脚状態を保持することができる。さらに、締め付けベルトのような別部材を設ける必要もない。
【００２０】
あるいは、パーテーションポールに脚部より上方側に引掛部が備えられている場合には、この引掛部を収納システムの被引掛部に引っ掛けて吊るした状態とすることにより、同じく、場所を取らない閉脚状態としたまま収納することができる。
【００２１】
さらに、閉脚状態の脚部を水平方向に延びるように支持する支持部を備える構成によっても、同様の作用効果が得られる。
【発明の効果】
【００２２】
このように、本明細書に開示された技術によれば、パーテーションポールの設置作業や撤去作業、および、収納作業を片手で簡単に行うことができるので、作業性に優れる。また、収納時に脚部を折り畳んだ閉塞状態とすることができるから、収納スペースを小さくすることができる。
【図面の簡単な説明】
【００２３】
【図１】実施形態１のパーテーションポールの開脚状態の斜視図
【図２】同じく開脚状態の正面図
【図３】同じく開脚状態の側面図
【図４】同じく開脚状態の平面図
【図５】同じく開脚状態の底面図
【図６】同じく開脚状態の一部拡大縦断面図
【図７】図６の一部拡大縦断面図
【図８】図６のＡ−Ａ断面図
【図９】パーテーションポールの分解斜視図
【図１０】パーテーションポールの開脚途中の斜視図
【図１１】図１０の一部拡大斜視図
【図１２】同じく開脚途中の一部拡大縦断面図
【図１３】パーテーションポールの閉脚状態の斜視図
【図１４】同じく閉脚状態の側面図
【図１５】同じく閉脚状態の一部拡大縦断面図
【図１６】収納システム（収納カート）の斜視図
【図１７】同じく縦断面図
【図１８】実施形態２の収納システム（収納付きサイン看板）の斜視図
【図１９】同じく側面図
【図２０】同じく背面図
【図２１】他の実施形態の収納システム（サイン一体型収納キャスター）の斜視図
【図２２】他の実施形態の収納システム（収納付き箱形パネルスタンド）の斜視図
【図２３】他の実施形態の収納システム（吊り下げバー）の斜視図
【図２４】他の実施形態の収納システム（支持部）の概念図
【発明を実施するための形態】
【００２４】
＜実施形態１＞
実施形態１を図１ないし図１７によって説明する。なお、以下の説明においては、図６の上側を上方、下側を下方とする。また、複数の同一部材については、一の部材に符号を付し、他の部材については符号を省略することがある。
【００２５】
本実施形態のパーテーションポール１０は、例えば図１に示すように、上下方向に延びる支柱１１と、支柱１１の下端部に設けられた複数の脚部４０と、支柱１１の下方に配された受け部５０と、脚部４０と受け部５０とを連結する連結腕６０と、を備えて構成されている。
【００２６】
（支柱１１）
支柱１１はステンレスやアルミ等の金属製であり、その上部には、ベルト状のパーテーション材を巻き取りおよび引き出し可能なベルト収容ヘッド１２と、隣り合うパーテーションポール１０から引き出されたのパーテーション材の端部（被固定部１３Ａ）を固定可能な固定部１３Ｂと、が備えられている。これらの被固定部１３Ａおよび固定部１３Ｂ（引掛部の一例）は、支柱１１の径方向の外側に突出している。なお、これらベルト収容ヘッド１２、被固定部１３Ａおよび固定部１３Ｂは、汎用の形態のものである。
【００２７】
図６および図７を参照してより詳細に説明すると、支柱１１は長尺な円筒状の円筒壁１４と、この円筒壁１４により囲まれた支柱１１の中空部を円筒壁１４の下端縁よりやや上方側において水平方向に塞ぐように設けられた底部１５と、を備えている。このように底部１５が円筒壁１４の下端縁よりやや離れた位置（上方側）に設けられることにより、支柱１１の下端には上方に向けて凹状に窪んだ嵌合凹部１６が形成されている。また、底部１５の中心には、後述する取付ボルト７０を貫通させる取付孔１７が、底部１５を貫通して形成されている。
【００２８】
（取付部材２０）
支柱１１の嵌合凹部１６には、支柱１１に対して脚部４０を取り付けるための取付部材２０が嵌合されている。取付部材２０は亜鉛合金製であって、略円盤状の第１部材２１および第２部材３１を上下方向に組み合わせてなる。
【００２９】
上方側に配される第１部材２１は、上部が上述した嵌合凹部１６の内径より僅かに小さい外径を有するとともに、下部が上述した円筒壁１４の外径とほぼ同等の外径を有する、二段形状をなしている。以下、上部を小径部２１Ａ、下部を大径部２１Ｂとよぶこととする。
【００３０】
第１部材２１（大径部２１Ｂ）の下面の中央には、上方に向けて凹状に窪んで第２部材３１との軸方向の位置決めを行うための第１凹部２２が設けられている。
【００３１】
またこの第１凹部２２の周囲には、上方に向けて凹状に窪んで第２部材３１との周方向の位置決めを行うための５つの第２凹部２３が等間隔（７２度毎）に設けられている。これらの第２凹部２３の深さ寸法Ｄ２は、第１凹部２２の深さ寸法Ｄ１より小さい寸法に設定されている（Ｄ１＞Ｄ２）。
【００３２】
さらに、第１部材２１（大径部２１Ｂ）の下面のうち隣り合う第２凹部２３の間には、それぞれ、後述する脚部４０の連結片４１を嵌め入れるための５つの第１切欠部２４Ａが等間隔（７２度毎）に設けられている。これら第１切欠部２４Ａは、大径部２１Ｂの周壁の下端から径方向の内側に向けて延びており、側方および下方に向けて開口している。
【００３３】
なお、第１部材２１（大径部２１Ｂ）の下面に設けられたこれらの第１凹部２２、第２凹部２３、および、第１切欠部２４Ａは、互いに繋がることなく、独立して形成されている。
【００３４】
一方、下方側に配される第２部材３１は、第１部材２１の大径部２１Ｂの外径と同寸法の外径を有する略円盤状をなしている。この第２部材３１の下面側の周縁部は円弧状に切り欠かれており、なだらかな曲面状とされている。
【００３５】
第２部材３１の上面の中央には、上方に向けて突出して上述した第１部材２１の第１凹部２２内に嵌め入れられる第１凸部３２が設けられている。第１凸部３２の外径は第１凹部２２の内径と同等あるいは僅かに小さい寸法に設定されている。第１凸部３２と第１凹部２２とが嵌合することにより、第１部材２１および第２部材３１の軸方向の位置決めがなされる。
【００３６】
また、この第１凸部３２の周囲には、上方に向けて突出して上述した第１部材２１の第２凹部２３内に嵌め入れられる５つの第２凸部３３が等間隔（７２度毎）に設けられている。第２凸部３３の外径は第２凹部２３の内径と同等あるいは僅かに小さい寸法に設定されている。これらの第２凸部３３の高さ寸法Ｈ２は、第１凸部３２の高さ寸法Ｈ１より小さい寸法に設定されている（Ｈ１＞Ｈ２）。第２凸部３３と第２凹部２３とが嵌合することにより、第１部材２１および第２部材３１の周方向の位置決めがなされる。
【００３７】
なお、第１部材２１および第２部材３１が互いに組み付けられる際には、第１凹部２２および第１凸部３２が先に嵌合を開始して軸方向の位置決めがなされ、その後、第２凹部２３および第２凸部３３の嵌合により、周方向の位置決めがなされるようになっている。
【００３８】
さらに、第２部材３１のうち隣り合う第２凸部３３の間には、それぞれ、後述する脚部４０の連結片４１を嵌め入れるための５つの第２切欠部２４Ｂが等間隔（７２度毎）に設けられている。これら第２切欠部２４Ｂは、第２部材３１の周壁から径方向の内側に向けて延びており、側方および上下方向に向けて開口している。これら第２切欠部２４Ｂは、その切り欠き深さおよび切り欠き幅が、第１部材２１と第２部材３１とを組み付けた状態において第１切欠部２４Ａと連続する寸法に設定されており、第１切欠部２４Ａとともに取付部材２０の脚部用切欠部２４を構成するようになっている。
【００３９】
第２部材３１の上面のうち、各第２切欠部２４Ｂの対向する開口縁部には、断面Ｕ字形状の一対の第１支持部３５が形成されている（図９参照）。これら一対の第１支持部３５は上方および第２切欠部２４Ｂ内に向けて開口しており、後述する脚部４０の連結片４１に貫通される軸４９の両端部を支持して、当該軸４９を第２切欠部２４Ｂ内において水平方向に架け渡すものである。軸４９は、第１部材２１及び第２部材３１が組み付けられることにより取付部材２０に取り付けられ、これにより、脚部４０の一端側が取付部材２０に対して回動自在に枢支される。
【００４０】
第１部材２１の第２凹部２３および第２部材３１の第２凸部３３の各中央には、第１部材２１および第２部材３１を組み付け状態に保持するための固定ボルト７１を貫通させる固定ボルト用貫通孔２６，３６が、上下方向に貫通して設けられている。また、第１部材２１（小径部２１Ａ）の上面には、固定ボルト７１の頭部を収容するための第１収容凹部２７が設けられている。
【００４１】
また、第１部材２１の第１凹部２２および第２部材３１の第１凸部３２の各中央には、組み付け状態の第１部材２１および第２部材３１、すなわち、取付部材２０を上述した支柱１１の底部１５に取り付けるための取付ボルト７０を貫通させる取付ボルト用貫通孔２８，３８が、上下方向に貫通して設けられている。また、第２部材３１の下面には、取付ボルト７０の頭部を収容するための第２収容凹部３７が設けられている。
【００４２】
固定ボルト７１により互いに固定された第１部材２１および第２部材３１、すなわち取付部材２０は、第１部材２１の小径部２１Ａが支柱１１の嵌合凹部１６内に嵌め入れられ、取付ボルト７０が締結されることにより、支柱１１の下端に対して固定される（図７参照）。
【００４３】
（脚部４０）
支柱１１の下端部には、取付部材２０を介して複数の脚部４０が取り付けられている。本実施形態において脚部４０は５本設けられており、各脚部４０は互いに等間隔となる角度、すなわち、７２度毎に配されている（図４および図５参照）。
【００４４】
脚部４０は長尺な部材であって、概ね、肉厚な円筒体をその軸方向に沿って五等分した形態をなしている。
【００４５】
図９に示すように、各脚部４０のうち取付部材２０側に位置する基端部４０Ａの端縁部には、脚部４０の幅寸法より幅が小さい連結片４１が脚部４０の軸方向に沿って延出されており、この連結片４１に、脚部４０を取付部材２０に対して連結するための軸４９を貫通させる第１軸孔４２が水平方向に貫通して設けられている（図７参照）。連結片４１は、取付部材２０の脚部用切欠部２４内に挿入可能な幅寸法に設定されている。第１軸孔４２に軸４９が貫通され、軸４９の両端部が上述した取付部材２０の第１支持部３５内に支持されることにより、脚部４０が取付部材２０に対して軸４９を中心として上下方向に回動自在に連結されている。
【００４６】
脚部４０が開いた開脚状態（図１ないし図７に示す状態）において床面Ｇと対向する脚部４０の底面４３側には、脚部４０の軸方向に沿って延びる溝状のスリット４４が設けられている。このスリット４４は後述する連結腕６０を嵌め入れるためのものであり、図６に示すように、脚部４０の長手方向の両端部（基端部４０Ａおよび先端部４０Ｃ）から中間部４０Ｂに向けてスリット４４の深さ寸法が大きくなるように、断面がなだらかな山形に形成されている。換言すると、スリット４４の底部４５は、脚部４０の底面４３に対して傾斜している。以下、スリット４４の底部４５のうち脚部４０の基端部４０Ａ側を基端側傾斜部４５Ａとし、先端部４０Ｃ側を先端側傾斜部４５Ｂとする。
【００４７】
また、このスリット４４の対向する一対の開口縁部は脚部４０の軸方向に沿って斜めに切り欠かれた案内面４６とされており、これにより、連結腕６０が速やかにスリット４４内に挿入されるようになっている（図８参照）。
【００４８】
脚部４０のうち、スリット４４の深さ寸法が最も大きい部分、すなわち中間部４０Ｂには、連結腕６０の一端部（脚部側端部６０Ａ）と脚部４０とを連結する第１軸６５を取り付けるための第２軸孔４７が、脚部４０の軸方向と直交する方向かつ脚部４０の幅方向に平行に貫通して設けられている（図８参照）。
【００４９】
また、スリット４４の底部４５うち脚部４０の基端部４０Ａと中間部４０Ｂの間には、スリット４４の開口に向けて突出して脚部４０の開き角度を規制する規制突部４８が設けられている（図６参照）。
【００５０】
なお、脚部４０の基端部４０Ａ側の端縁部は、脚部４０が完全に開いた開脚状態において当該端縁部が取付部材２０の周壁に沿うように、円弧状とされている（図４及び図９参照）。
【００５１】
（受け部５０）
支柱１１の下方には、例えば図１１に示すように、受け部５０が配されている。受け部５０は略円盤状の部材であって、支柱１１の軸の延長線上に配されている。
【００５２】
受け部５０は、上述した取付部材２０と同様に、２つの円盤状の部材を上下方向に組み付けることにより構成されている（図７参照）。以下、受け部５０を構成する２つの部材のうち、上方側に配される部材を第１受け部材５１、下方側に配される部材を第２受け部材５６として説明する。
【００５３】
第１受け部材５１には、第２受け部材５６との位置決めを行うための５つの位置決め孔５２が、周縁部に沿って等間隔（７２度毎）に設けられている。また、これらの位置決め孔５２の間には、それぞれ、連結腕６０の他端側（受け部側端部６０Ｂ）を嵌め入れるための５つの第１切欠部５３Ａが等間隔（７２度毎）に設けられている。これら第１切欠部５３Ａは、第１受け部材５１の周縁部から径方向の内側に向けて延びており、側方および上下方向に向けて開口している。
【００５４】
一方、下方側に配される第２受け部材５６は、第１受け部材５１と同寸法の外径を有しており、その上面には、上方に向けて突出して上述した第１受け部材５１の位置決め孔５２内に嵌め入れられる５つの位置決め凸部５７が、周縁部に沿って等間隔（７２度毎）に設けられている。これら位置決め凸部５７と位置決め孔５２とが嵌合することにより、第１受け部材５１および第２受け部材５６の相対的な位置決めがなされる。
【００５５】
また、第２受け部材５６のうち隣り合う位置決め凸部５７の間には、それぞれ、連結腕６０の受け部側端部６０Ｂを嵌め入れるための５つの第２切欠部５３Ｂが等間隔（７２度毎）に設けられている。これら第２切欠部５３Ｂは、第２部材３１の周縁部から径方向の内側に向けて延びており、側方および上下方向に向けて開口している。これら第２切欠部５３Ｂは、その切り欠き深さおよび切り欠き幅が、第１受け部材５１と第２受け部材５６とを組み付けた状態において第１切欠部５３Ａと連続する寸法に設定されており、第１切欠部５３Ａとともに受け部５０の連結腕用切欠部５３を構成するようになっている。
【００５６】
さらに、第２受け部材５６の上面のうち、各第２切欠部５３Ｂの対向する開口縁部には、断面Ｕ字形状の一対の第２支持部５８が形成されている（図９参照）。これら一対の第２支持部５８は上方および第２切欠部５３Ｂ内に向けて開口しており、後述する連結腕６０の受け部側端部６０Ｂに貫通される第２軸６６の両端部を支持して、当該第２軸６６を第２切欠部５３Ｂ内において水平方向に架け渡すものである。第２軸６６は、第１受け部材５１および第２受け部材５６が組み付けられることにより受け部５０に取り付けられ、これにより、連結腕６０の受け部側端部６０Ｂが受け部５０に対して回動自在に枢支される。
【００５７】
なお、受け部５０（第２受け部材５６）の底面５９は、平坦面とされている。
【００５８】
第１受け部材５１および第２受け部材５６の中央には、これらを組み付け状態に保持するための固定ネジ７２を貫通させる固定ネジ用貫通孔５４Ａ，５４Ｂが、上下方向に貫通して設けられている。また、第１受け部材５１の上面側には、固定ネジ７２の頭部を収容するための収容凹部５５が設けられている。
【００５９】
この受け部５０の外径は、上述した取付部材２０の外径より小さい寸法に設定されている。
【００６０】
（連結腕６０）
連結腕６０は、例えば図１２に示すように、脚部４０と受け部５０とを連結する長尺な板状部材であり、脚部４０のスリット４４内と、受け部５０の連結腕用切欠部５３内に挿入可能な板厚とされている。その一端（脚部側端部６０Ａ）付近には、脚部４０と連結する第１軸６５を貫通させる第１軸孔６１が板面を貫通して設けられるとともに、他端（受け部側端部６０Ｂ）付近には、受け部５０と連結する第２軸６６を貫通させる第２軸孔６２が板面を貫通して設けられている。
【００６１】
これにより連結腕６０は、一端側の脚部側端部６０Ａが脚部４０に対して回動自在に連結されるとともに、他端側の受け部側端部６０Ｂが受け部５０に対して回動自在に連結されている。
【００６２】
また本実施形態において連結腕６０の長さ寸法は、脚部４０の長さ寸法の半分よりやや長い寸法に設定されている。
【００６３】
なお、本実施形態にように、連結腕６０が脚部４０の先端部４０Ｃではなく、中間部４０Ｂに連結されることにより、閉脚状態におけるパーテーションポール１０全体の長さを短くすることができる。また、連結腕６０自体の長さも短くすることができるから、パーテーションポール１０全体の重量を軽くすることができるとともに、製造コストを抑えることができる。
【００６４】
（閉脚状態および開脚状態）
図１３ないし図１５は本実施形態のパーテーションポール１０の閉脚状態を表している。この状態において、５本の脚部４０はそれらの軸が支柱１１の軸とほぼ平行な状態となるように閉じられており、概ね、それらの外面が支柱１１の外径とほぼ同等の外径を有する略円筒体を形成している。
【００６５】
また、図１５に示すように、連結腕６０はその長さ方向における一方側の側縁がスリット４４の先端側傾斜部４５Ｂに沿って延びており、支柱１１の軸に対してやや傾斜して配されている。すなわち、上方側に位置する脚部側端部６０Ａが下方側に位置する受け部側端部６０Ｂよりも径方向の外側に配されている。また、この状態において、連結腕６０の受け部側端部６０Ｂは、脚部４０の先端縁４０Ｄよりも下方側に突出して位置している。
【００６６】
また受け部５０は、連結腕６０の受け部側端部６０Ｂと連結されて、脚部４０の先端縁４０Ｄより下方側に位置している。
【００６７】
一方、図１ないし図７はパーテーションポール１０の開脚状態を表している。図６に示すように、脚部４０は、受け部５０と連結された連結腕６０により開脚角度が規制されている。より詳細には、開脚状態において、連結腕６０は床面Ｇとほぼ平行に配されており、受け部５０は床面Ｇから上方側に浮いた状態で位置している。換言すると、受け部５０の連結腕用切欠部５３（第２軸６６）と、脚部４０の第２軸孔４７（第１軸６５）とは、床面Ｇから同等の高さ位置とされている。
【００６８】
このような連結腕６０により、脚部４０は、開脚状態においてその延び方向が支柱１１の軸に対して傾斜しており、先端部４０Ｃの底面４３の一部（接地部分４３Ｇ）だけが床面Ｇに接地している。
【００６９】
（収納カート１００）
上述した本実施形態のパーテーションポール１０は、図１６に示すように、収納カート１００（収納システムの一例）の収納凹部１０４（収納部の一例）内に収納される。以下、図１６の上方を上、下方を下、左下を前方、右上を後方、右下を右、左上を左として説明する。
【００７０】
収納カート１００は、上面が前後方向に沿って曲面状の山形に膨出した略直方体状のカート本体１０１を有しており、このカート本体１０１の底面側の前後４箇所に、車輪１０２が備えられている。また、カート本体１０１の前面には、カート本体１０１を移動操作するためのＴ字形状の操作部１０３が、上方および前方の間で回動可能に設けられている。
【００７１】
カート本体１０１には、上面から下方に向けて凹状に窪む複数の収納凹部１０４が形成されている（図１７参照）。この収納凹部１０４の内径は、上述したパーテーションポール１０の、閉脚状態の５本の脚部４０の外径より僅かに大きい寸法とされている。換言すると、収容凹部１０４の内側の周壁１０５は、閉脚状態の５本の脚部４０の周囲を、この周囲に沿うように取り囲んでいる。
【００７２】
すなわち、収納凹部１０４内に収納されたパーテーションポール１０の脚部４０は、周壁１０５により閉脚状態が保持されるようになっている。
【００７３】
また、この収納凹部１０４の深さ寸法は、上述したパーテーションポール１０を収納した状態において、脚部４０全体を収納できる寸法に設定されている。
【００７４】
（作用および効果）
次に、本実施形態のパーテーションポール１０および収納カート１００の作用および効果について説明する。
【００７５】
パーテーションポール１０を使用する際には、まず、収納カート１００の収納凹部１０４内に閉脚状態で収納されているパーテーションポール１０（支柱１１）の上部を手で把持し、持ち上げて、パーテーションポール１０を収納凹部１０４から取り出す。収納凹部１０４から取り出されたパーテーションポール１０は、閉脚状態が維持されている。
【００７６】
次に、支柱１１を床面Ｇに対してほぼ垂直方向に延びる縦方向とし、パーテーションポール１０を設置したい場所に載置する。すると、まず閉脚状態において脚部４０より下方側に突出して配されている受け部５０の底面５９が床面Ｇに接地し、受け部５０がパーテーションポール１０の自重により床面Ｇを下方に向けて押圧する。換言すると、受け部５０は床面Ｇから相対的に上方に向かう押圧力を受ける。
【００７７】
すると、受け部５０に回動自在に連結され、脚部４０に沿ってほぼ上下方向に延びて配されている各連結腕６０が、受け部側端部６０Ｂ（第２軸６６）を中心に外側に向けて回動し、これにより、脚部側端部６０Ａが脚部４０の中間部４０Ｂを外側に向けて徐々に押し開く（図１０ないし図１２参照）。
【００７８】
この回動開始時、連結腕６０は上述したように、脚部４０の先端側傾斜部４５Ｂによって上方に位置する脚部側端部６０Ａが下方側に位置する受け部側端部６０Ｂよりも径方向の外側に配されている（図１５参照）から、脚部側端部６０Ａの外側に向けた回動が速やかに開始される。
【００７９】
またこの時、受け部５０の底面５９は平坦面とされているから、受け部５０は床面Ｇに対して正規の姿勢で接地されており、もって、受け部５０から各連結腕６０に対して均等に力が伝えられる。すなわち、各脚部４０の開脚動作が速やかに進行する。
【００８０】
なお、連結腕６０が受け部５０に押されて回動する一方で、支柱１１は自重により下方に向けて移動する。すなわち、支柱１１と受け部５０とは相対的に近づく方向に移動する。
【００８１】
脚部４０が連結腕６０により徐々に押し開かれると、間もなく、脚部４０の先端部４０Ｃの底面４３が床面Ｇに接地し、この脚部４０の接地部分（以下４３Ｇとする）と受け部５０の底面５９とが一直線上（床面Ｇ上）に配される。
【００８２】
そしてその後も支柱１１が下方に向けて下がり続けることにより、今度は、脚部４０の接地部分４３Ｇが床面Ｇを下方に向けて押圧する。換言すると、接地部分４３Ｇは床面Ｇから相対的に上方に向かう押圧力を受け、これにより、さらに脚部４０が床面Ｇにより押し開かれるとともに、この脚部４０の開脚動作に伴って連結腕６０が外側に向けて回動される。そしてこの脚部４０の開脚動作、すなわち、連結腕６０の回動に伴い、受け部５０は複数の連結腕６０により次第に上方に引き上げられて、床面Ｇから浮き上がる。
【００８３】
そして、連結腕６０の軸が床面Ｇとほぼ平行となると、それ以上の脚部４０の開脚は連結腕６０により規制され、脚部４０の開脚動作が終了して、脚部４０が放射状に開かれた開脚状態とされる（図１ないし図６参照）。
【００８４】
この開脚状態において、図６に示すように、脚部４０の規制突部４８は連結腕６０の上方側の側縁部に当接している。また、第２軸６６と第１軸６５とは、床面Ｇから同等の高さに配されている。
【００８５】
このように、本実施形態のパーテーションポール１０によれば、作業者は支柱１１に対して無理に力を加えなくても、パーテーションポール１０の上部（支柱１１）を手で掴んで床面Ｇに置くという簡単な作業だけで、パーテーションポール１０を自動的に開脚状態として床面Ｇに設置することができる。
【００８６】
一方、パーテーションポール１０を収納する際には、作業者は、支柱１１の上部を手で掴んで持ち上げればよい。そのようにすると、受け部５０が自重により支柱１１から離れる方向に相対的に移動し、これにより、受け部５０に連結されている連結腕６０が受け部側端部６０Ｂを中心に閉じる方向（支柱１１側）に回動して、他端側（脚部側端部６０Ａ）に連結されている脚部４０を閉じる方向に引き寄せる。
【００８７】
つまり、パーテーションポール１０の支柱１１を掴んで持ち上げるだけで、自動的に脚部４０が閉じ、パーテーションポール１０を閉脚状態とすることができる。
【００８８】
また、このような閉脚状態とされたパーテーションポール１０は、脚部４０を収納カート１００の収納凹部１０４内に収納することにより、場所を取らない閉脚状態のまま収納することができる。しかも、閉脚状態において、脚部４０および受け部５０の外径は、支柱１１の外径と同等以下とされているから、収納凹部１０４の径を支柱１１の径と同等程度まで小さくすることができる。
【００８９】
しかも、このように収納カート１００（収納凹部１０４）自体が脚部４０の閉脚状態を保持する構成とされているから、パーテーションポール１０に閉脚状態を保持する機構を別途設ける必要がなく、パーテーションポール１０自体を簡易な構成とすることができる。さらに、締め付けベルトのような別部材を設ける必要もない。
【００９０】
このように、本実施形態のパーテーションポール１０および収納カート１００によれば、設置作業や撤去作業、および、収納作業をを片手で簡単に行うことができ、作業性に優れる。また、パーテーションポール１０の収納に場所を取らない。
【００９１】
＜実施形態２＞
図１８ないし図２０は、実施形態２のパーテーションポールの収納システムを示す図である。本実施形態の収納システムは収納付きサイン看板１１０であって、既存の形態のサイン看板の背面の空いたスペースに引掛棒１１４（被引掛部の一例）を設け、実施形態１のパーテーションポール１０の上方側において径方向に突出している被固定部１３Ａおよび固定部１３Ｂを引っ掛ける構成のものである。
【００９２】
収納付きサイン看板１１０は、板状の表示板１１１と底板部１１２とが略Ｌ字形状に連結されてなり、底板部１１２の下面側の四隅に、車輪１１３が備えられている。
【００９３】
表示板１１１の背面側には、床面Ｇと平行に延びる角棒状の複数本の引掛棒１１４（本実施形態では６本）が設けられている。これらの引掛棒１１４は、全て同じ高さ位置に設けられており、その高さは、底板部１１２の上面から引掛棒１１４の上面までの寸法が、パーテーションポール１０の被固定部１３Ａおよび固定部１３Ｂの下端部から閉塞状態の受け部５０の底面５９までの寸法よりも大きくなる寸法とされている。すなわち、閉脚状態のパーテーションポール１０を引掛棒１１４に引っ掛けても、受け部５０が底板部１１２とは接触しない高さに位置に設けられている。
【００９４】
また、互いに隣り合う引掛棒１１４の間の間隔寸法は、支柱１１の外径より僅かに大きい寸法に設定されている。これにより、隣合う引掛棒１１４の間に支柱１１を嵌め込むことが可能とされるとともに、パーテーションポール１０の被固定部１３Ａおよび固定部１３Ｂを、引掛棒１１４に確実に引っ掛けることが可能とされている。
【００９５】
また、引掛棒１１４自体の横幅寸法は、被固定部１３Ａおよび固定部１３Ｂの支柱１１からの突出寸法の和より大きい寸法に設定されている。これにより、隣り合って収納されるパーテーションポール１０の被固定部１３Ａおよび／または固定部１３Ｂが、互いに干渉することが防止される。
【００９６】
さらに、引掛棒１１４の長さ寸法は、支柱１１の外径の３倍よりも長い寸法に設定されている。すなわち、パーテーションポール１０を表示板１１１の幅方向だけでなく、底板部１１２の深さ方向にも複数並べて配することができる（本実施形態では３本）。
【００９７】
なお、引掛棒１１４の先端側には、底板部１１２から上方に向けて垂直に延びる支持棒１１５が連結されており、引掛棒１１４を下方側から支持している。
【００９８】
このような収納付きサイン看板１１０によれば、パーテーションポール１０の上方側に設けられた被固定部１３Ａおよび固定部１３Ｂを引掛棒１１４に引掛けて、いわゆる吊るした状態とすることにより、上記実施形態１の収納カート１００と同様に、パーテーションポール１０を場所を取らない閉脚状態のまま収納することができる。しかも、吊るすことにより閉脚状態を保持することができるから、パーテーションポール１０に閉脚状態を保持する機構を設ける必要がなく、パーテーションポール１０自体を簡易な構成とすることができる。また、締め付けベルトのような別部材を設ける必要もない。
【００９９】
＜他の実施形態＞
本明細書に開示される技術は上記記述及び図面によって説明した実施形態に限定されるものではなく、例えば次のような実施形態も技術的範囲に含まれる。
【０１００】
（１）上記実施形態では、パーテーションポール１０の閉脚状態において、受け部５０全体が脚部４０の先端縁４０Ｄよりも下方側に配される構成としたが、受け部５０のうち少なくとも底面５９が脚部４０の先端縁４０Ｄよりも下方側に配されていればよい。
【０１０１】
（２）上記実施形態では、パーテーションポール１０の開脚状態において受け部５０は床面Ｇから浮き上がる形態としたが、開脚状態において受け部５０が床面Ｇに接地したままである形態としてもよい。そのような形態は、例えば、規制突部の位置や大きさを変更したり、連結腕６０の長さや脚部４０に対する連結位置を変更することにより、実現することができる。
【０１０２】
（３）上記実施形態では、パーテーションポール１０の開脚状態において脚部４０はその延び方向が支柱１１の軸に対して傾斜しており、接地部分４３Ｇだけが床面Ｇと接地する構成としたが、脚部４０の延び方向が支柱１１の軸に対して直交するまで開脚し、底面４３全体が床面Ｇに接地する形態としてもよい。
【０１０３】
（４）受け部５０の底面５９は平坦面に限らず、曲面や凹凸部を有する面であってもよい。
【０１０４】
（５）上記実施形態では、連結腕６０の脚部側端部６０Ａを脚部４０の中間部４０Ｂに連結する構成としたが、例えば、脚部４０の先端部４０Ｃや、中間部４０Ｂより基端部４０Ａ側等、他の部分に連結する構成としてもよく、要は、連結腕６０の回動により脚部４０が開脚される構成であれば上記実施形態に限るものではない。また、中間部４０Ｂとは、脚部４０の長さ方向の中央に限らず、中央部付近を含む。
【０１０５】
（６）上記実施形態では、パーテーションポール１０の閉脚状態において、脚部４０および受け部５０の外径が支柱１１の外径と同等である形態としたが、同等以下でもよい。また、どちらか一方あるいは両方が、支柱１１の外径より大きくてもよい。例えば、脚部４０を支柱１１の円筒壁１４の外周側に回動自在に連結する構成とすることもできる。
【０１０６】
（７）上記実施形態では、脚部４０を支柱１１の下端部に対して取付部材２０を介して支持させる構成としたが、取付部材２０を介さず、例えば、支柱の下端部に支柱側連結片を延出形成し、支柱に対して回動可能に直接支持させる構成等、他の構成としてもよい。
【０１０７】
（８）また、脚部４０と連結腕６０との連結構造、および、連結腕６０と受け部５０との連結構造も上記実施形態に限るものではなく、要は、脚部と連結腕、および、連結腕と受け部とが回動自在であれば、どのような構成であってもよい。
【０１０８】
（９）パーテーションポールは、脚部の閉脚状態を保持する構造を有するものであってもよい。
【０１０９】
（１０）パーテーションポールの収納システムは、上記実施形態に示した収納カート１００や収納付きサイン看板１１０に限らず、様々な形態を採用することができる。
【０１１０】
例えば、図２１に示すように、円錐型のキャスターベース１２１に複数の収納凹部１２２を設けるとともに、中央部にサイン１２３を一体に設けたサイン一体型収納付きキャスター１２０としてもよい。また、収納凹部１２２の深さ寸法を、脚部４０の長さ寸法より小さく設定して、脚部４０の一部だけを収納するようにしてもよい。
【０１１１】
（１１）あるいは、図２２に示すように、パネルサイン１３１を取り付ける既存の箱形パネルスタンドの一対の取付壁１３２の間に、上述した閉脚状態のパーテーションポール１０を収納可能な収納筒（図示せず）を床面Ｇに対して斜めに配した収納付き箱形パネルスタンド１３０としてもよい。
【０１１２】
（１２）また、図２３に示すように、壁面Ｗを利用して、手すりＢの内側に手すり状の吊り下げバー１４０（被引掛部の一例）を設け、この吊り下げバー１４０に複数のパーテーションポール１０を引っ掛けて吊るすことにより収納する構成としてもよい。
【０１１３】
（１３）さらに、図２４に示すように、複数のパーテーションポール１０を水平方向に倒し、例えば一対の支持部１５０の間に架け渡して収納する形態とすることもでき、要は、閉脚状態を保持できる構成を有する形態であれば、上記実施形態に限定されるものではない。
【０１１４】
（１４）上記実施形態１では、収納システム（収納カート１００）の収納部を、有底の収納凹部１０４とする形態を例示したが、収納部は、閉脚状態の脚部４０の周囲を当該周囲に沿うように取り囲む周壁を有する収納孔としてもよい。この場合は、受け部５０が収納孔を突き抜けて床面Ｇ等に接地したとしても、脚部４０はその少なくとも一部が周壁に取り囲まれているから、脚部４０の開脚回動が収納孔の周壁により規制され、閉脚状態が保持される。
【０１１５】
（１５）上記実施形態２の収納付きサイン看板１１０においては、引掛棒１１４の高さ位置を、パーテーションポール１０を吊り下げた状態において受け部５０が底板部１１２とは接触しない高さ位置に設定したが、脚部４０の閉脚状態が保持される高さであれば、受け部５０が底板部１１２の上面に接触する高さ位置としてもよい。
【符号の説明】
【０１１６】
１０…パーテーションポール
１１…支柱
１３Ａ…被固定部（引掛部）
１３Ｂ…固定部（引掛部）
１６…嵌合凹部
２０…取付部材
２４…脚部用切欠部
４０…脚部
４０Ａ…基端部
４０Ｂ…中間部
４０Ｃ…先端部
４０Ｄ…先端縁（脚部の他端）
４４…スリット
４９…軸
５０…受け部
５３…連結腕用切欠部
５９…底面
６０…連結腕
６０Ａ…脚部側端部
６０Ｂ…受け部側端部
６５…第１軸
６６…第２軸
１００…収納カート（収納システム）
１０４、１２２…収納凹部（収納部）
１０５…周壁
１１０…収納付きサイン看板（収納システム）
１１４…引掛棒（被引掛部）
１２０…サイン一体型収納キャスター（収納システム）
１３０…収納付き箱形パネルスタンド（収納システム）
１４０…吊り下げバー（被引掛部・収納システム）
１５０…支持部（収納システム）
Ｇ…床面
【図１】
2017014683.tif 000003
【図２】
2017014683.tif 000004
【図３】
2017014683.tif 000005
【図４】
2017014683.tif 000006
【図５】
2017014683.tif 000007
【図６】
2017014683.tif 000008
【図７】
2017014683.tif 000009
【図８】
2017014683.tif 000010
【図９】
2017014683.tif 000011
【図１０】
2017014683.tif 000012
【図１１】
2017014683.tif 000013
【図１２】
2017014683.tif 000014
【図１３】
2017014683.tif 000015
【図１４】
2017014683.tif 000016
【図１５】
2017014683.tif 000017
【図１６】
2017014683.tif 000018
【図１７】
2017014683.tif 000019
【図１８】
2017014683.tif 000020
【図１９】
2017014683.tif 000021
【図２０】
2017014683.tif 000022
【図２１】
2017014683.tif 000023
【図２２】
2017014683.tif 000024
【図２３】
2017014683.tif 000025
【図２４】
2017014683.tif 000026